(57)【要約】【課題】従来のカメラ装置は、被写体がカメラに取り付けられた表示ランプが光っているかどうかで撮影状態を把握するのみであった。映っている範囲を把握するためには映像モニターで確認する必要があった。【解決手段】本発明のカメラ装置は、表示ランプ２の見え方を制限する遮蔽手段４の形状・位置により、表示ランプ２の見える範囲を制限する構成をとり、表示ランプ２が見える範囲をカメラの画角と合わせることで、撮影している状況で、被写体が表示ランプ２の見える範囲にいると撮影画角内に入り、見えない位置にいると撮影画角から外れていると認識できる構成とした。【選択図】図１
2006140677.tif 000002
【特許請求の範囲】
【請求項１】
カメラ本体部と、
前記カメラ本体部の前面に取り付けられた表示手段と、
前記表示手段の見え方を制限する遮蔽手段とを備え、
前記遮蔽手段の形状・位置によりカメラの撮影範囲と表示手段の見える範囲とを略一致させるように前記遮蔽手段の形状及び位置を構成したカメラ装置。
【発明の詳細な説明】
【技術分野】
【０００１】
本発明は、映像を撮像するカメラ装置に関する。
【背景技術】
【０００２】
従来のカメラ装置は、被写体となる人物が、カメラに取り付けられた表示ランプが光っているかどうか、またその色等で、カメラが記録中であるかどうか等の動作状態を把握していた（たとえば特許文献１参照）。
【特許文献１】特開平５−２５２４２６号公報
【発明の開示】
【発明が解決しようとする課題】
【０００３】
しかしながら、前記従来の構成では、カメラ装置で撮像した映像を、映像モニターなどで確認しないと、どの範囲までが映っているかを把握することができないという課題を有していた。すなわち、被写体がカメラ装置の視野、すなわち画角内に入っているかどうかを撮影中には判断できないという課題を有していた。
【０００４】
上記課題を解決するために本発明は、被写体が画角に入っているかどうかを撮影中に認識することができるカメラ装置を提供することを目的とする。
【課題を解決するための手段】
【０００５】
前記従来の課題を解決するために、本発明のカメラ装置は、表示手段のひとつである表示ランプの見え方を制限する遮蔽手段の形状・位置により、表示ランプの見える範囲を制限する構成をとり、表示ランプが見える範囲をカメラの画角と合わせることで、撮影している状況で、被写体が表示ランプの見える範囲にいると撮影画角内に入り、見えない位置にいると撮影画角から外れていると認識できる構成としたものである。
【発明の効果】
【０００６】
本発明のカメラ装置によれば、映像モニターなどで映っている状態を確認することなく、表示ランプが見える範囲にいると画角内に入っている、見えない位置にいると撮影可能範囲から外れていると直感的に認識することができるため、被写体が画角に入っているかどうかを撮影中に認識することができる。
【発明を実施するための最良の形態】
【０００７】
以下本発明を実施するための最良の形態について、図面を参照しながら説明する。
【０００８】
（実施の形態１）
図１は、本発明の実施の形態１におけるカメラ装置の構造構成図である。図１において、カメラ装置１の前面には、前方、すなわちカメラの光軸方向より認識できる位置に表示ランプ２が設置されている。表示ランプ２周辺には、表示ランプ２の周囲からの見え方を制限する遮蔽手段の一種である囲い４が設けられている。囲い４は、表示ランプ２がカメラの光軸方向より見える角度とカメラ装置の撮影可能範囲とを合わせるために設けられている。
【０００９】
図３は、実施の形態１のカメラ装置の撮影可能範囲を示した図である。図３において、撮影可能範囲（画角）５は、カメラ装置１が撮影可能な画角を表している。すなわち、撮影可能範囲５は、レンズ６を通って画像素子７に被写体８が写る、実線Ｘで囲まれた範囲である。この範囲に被写体が存在するときには、その被写体がカメラに撮影されることになる。また、表示ランプ２及び囲い４は、カメラ装置１を上方から見たときのレンズ６、ＣＣＤ等の画像素子７との物理的な位置関係を表している。表示ランプ２が視認できる範囲は、破線Ｙで囲まれた範囲である。
【００１０】
そして図３のように、実線Ｘの範囲と破線Ｙの範囲を略一致させるように囲い４の形状を設定すると、被写体が撮影可能範囲５の範囲内にいる場合には、その位置から表示ランプ２を視認可能であり、撮影可能範囲５の範囲外にいる場合には、その位置から表示ランプ２を視認できないようになる。このようにすることで、カメラ装置１前方の被写体８Ａ、８Ｂ、８Ｃのように、表示ランプ２が見える範囲にいると撮影可能範囲５内に入っている、囲い４に遮られて見えない位置にいると撮影可能範囲５から外れていると認識することができる。なお、図３においては便宜上、実線Ｘと破線Ｙとをわずかにずらして記載しているが、実際にはこれらが重なるように設定することが望ましい。
【００１１】
（実施の形態２）
図２は、本発明の実施の形態２におけるカメラ装置の構造構成図である。図２において、カメラ装置１０の前面には、前方より認識できる位置に表示ランプ２０が設置されている。表示ランプ２０は横長形状となっている。これは、横方向からの視認性を確保するためである。
【００１２】
カメラ装置１０とレンズ鏡筒３０を上方より保護するように遮蔽手段の一種である庇４０が設置され、斜め上方よりの直射日光をさえぎるようになっている。庇４０には突出部４０−２を設けている。これは、表示ランプ２０がカメラ画角の上方からも見えるように庇形状を略円弧状に盛り上げたものである。また、庇４０は庇４０自体と庇４０の下側かつ表示ランプ２０の両横に設けられた梁４０−１とで表示ランプ２０の両横から上方にかけてを覆い、表示ランプ２０の見える範囲を規制しており、正面より左右と上方のある角度以上では表示ランプ２０が見えなくなるよう設定されている。
【００１３】
図４は、実施の形態２におけるカメラ装置１０の撮影可能範囲を示した図である。図３と同様、図４においてカメラ装置１０により撮影できる撮影可能範囲５０は、レンズ６０を通って画像素子７０に被写体８０が写る、実線Ｘ’で囲まれた範囲である。実施の形態１と同様、被写体が撮影可能範囲５０の範囲内にいる場合には、その位置から表示ランプ２０を視認可能であり、撮影可能範囲５０の範囲外にいる場合には、その位置から表示ランプ２０を視認できないように庇４０の形状を設定し、実線Ｘ’の範囲と破線Ｙ’で囲まれた表示ランプを視認可能な範囲とを略一致させる。このようにすることで、カメラ装置１０前方の被写体８０Ａ、８０Ｂ、８０Ｃのように、表示ランプ２０が見える範囲にいると撮影可能範囲５０内に入っている、庇４０に遮られて見えない位置にいると撮影可能範囲５０から外れていると認識することができる。
【００１４】
図５は、実施の形態２における撮影可能範囲５０と表示ランプ２０の見える範囲との関係を示した図である。庇４０は庇４０自体と梁４０−１で、表示ランプ２０の見える範囲を規制しており、正面より左右のある角度以上では表示ランプ２０が見えなくなる。この見えなくなる角度と撮影可能範囲５０とを合わせることにより、カメラ装置１前方より被写体８０Ａ、Ｂ、Ｃから表示ランプ２０が見える範囲にいると撮影可能範囲５０内に入っている、見えない位置にいると撮影可能範囲５０から外れていると認識することができる。また、撮影可能範囲５０の端部に入っている被写体８０Ａからは表示ランプ２０の右側一部が、８０Ｂからは表示ランプ２０前面全体が、８０Ｃからは表示ランプ２０の左側一部が見えることがわかる。なお、表示ランプ２０の形状を調整することによっても、表示ランプ２０を視認できる範囲を調整できる。
【００１５】
図６は実施の形態２における撮影可能範囲５０から被写体８０Ｄ、８０Ｅがずれた位置にいるときの表示ランプが見えなくなる様子を示した図である。被写体８０Ｄ、８０Ｅから表示ランプ２０が見えるためには表示ランプ２０の視認範囲９のような角度が必要であるが、撮影可能範囲カ５０から被写体８０Ｄ、８０Ｅがずれた位置にいるときは梁４０−１により、視認範囲９が完全に遮られるため、表示ランプ２０が見えなくなる。その位置より外側に位置する場合も同じく表示ランプ２０が見えない。よって、画角外に出ると表示ランプ２０が見えなくなる。
【産業上の利用可能性】
【００１６】
本発明にかかるカメラ装置は、遮蔽手段を設けカメラ装置前方より映像モニターなどを使わずに撮影可能範囲を容易に認識することができるため、取材用や監視用のカメラ装置等に特に有用である。
【図面の簡単な説明】
【００１７】
【図１】本発明の実施の形態１におけるカメラ装置の構造構成図
【図２】本発明の実施の形態２におけるカメラ装置の構造構成図
【図３】本発明の実施の形態１におけるカメラ装置のカメラ画角を示す図
【図４】本発明の実施の形態２におけるカメラ装置のカメラ画角を示す図
【図５】表示ランプの可視範囲とカメラ画角を示す図
【図６】カメラ画角から被写体がずれた位置を示す図
【符号の説明】
【００１８】
１、１０    ・・・カメラ装置
２、２０    ・・・表示ランプ
３、３０    ・・・レンズ鏡筒
４          ・・・囲い
４０        ・・・庇
４０−１    ・・・梁
４０−２    ・・・庇の突出部
５、５０    ・・・撮影可能範囲
６、６０    ・・・レンズ
７、７０    ・・・画像素子
８Ａ、８０Ａ・・・被写体Ａ
８Ｂ、８０Ｂ・・・被写体Ｂ
８Ｃ、８０Ｃ・・・被写体Ｃ
８０Ｄ      ・・・被写体Ｄ
８０Ｅ      ・・・被写体Ｅ
９０        ・・・視認範囲
【図１】
2006140677.tif 000003
【図２】
2006140677.tif 000004
【図３】
2006140677.tif 000005
【図４】
2006140677.tif 000006
【図５】
2006140677.tif 000007
【図６】
2006140677.tif 000008